(57)【特許請求の範囲】
【請求項１】
弁作用金属からなる陽極体を陽極部と陰極部に分離し、この陰極部の表面に誘電体酸化皮膜層、固体電解質層、陰極層を順次積層形成したコンデンサ素子を厚み方向に複数枚積層したコンデンサ素子積層体と、
このコンデンサ素子積層体の陽極部に接続された陽極コム端子と、
コンデンサ素子の厚み方向となる側面でコンデンサ素子積層体の陰極部を一体に接続する接続部を曲げ起こしにより設けて同陰極部の積層間に配設された陰極コム端子と、
上記陽極コム端子ならびに陰極コム端子の一部が夫々外表面に露呈した状態で上記コンデンサ素子積層体を被覆した絶縁性の外装樹脂からなる固体電解コンデンサにおいて、
上記陰極コム端子に設けた接続部を、コンデンサ素子積層体の相対する側面の各々に二つずつ接するように形成し、これらの接続部のうち対角線上にあるもの同士の曲げ起こし方向を一致させると共に向かい側にあるもの同士の曲げ起こし方向を相反させるように構成した固体電解コンデンサ。
【発明の詳細な説明】
【０００１】
【発明の属する技術分野】
本発明は各種電子機器に使用される固体電解コンデンサに関するものである。
【０００２】
【従来の技術】
図６は従来のこの種の固体電解コンデンサの構成を示した斜視図、図７は同コンデンサ素子積層ユニットの構成を示した斜視図であり、同図６、図７において１７はコンデンサ素子であり、このコンデンサ素子１７は弁作用金属であるアルミニウム箔からなる陽極体を陽極部１７ａと陰極部１７ｂに分離し、この陰極部１７ｂの表面に誘電体酸化皮膜層、固体電解質層、陰極層（いずれも図示せず）を順次積層形成することにより構成されている。
【０００３】
１８はコンデンサ素子積層ユニットであり、陰極ユニット端子１９上に導電性銀ペースト（図示せず）を塗布して上記コンデンサ素子１７の陰極部１７ｂを接合し、さらにその上に導電性銀ペースト（図示せず）を塗布してコンデンサ素子１７の陰極部１７ｂを接合するという工程を複数回繰り返すことによって複数枚のコンデンサ素子１７を積層し、さらに複数枚のコンデンサ素子１７の各陽極部１７ａを陽極ユニット端子２０に一体に接続することにより構成されているものである。
【０００４】
このように構成されたコンデンサ素子積層ユニット１８の陰極部１７ｂを陰極コム端子２１上に導電性銀ペースト（図示せず）を介して接合し、さらにこの上に導電性銀ペースト（図示せず）を介してコンデンサ素子積層ユニット１８を積層するという工程を複数回繰り返すことによって複数個のコンデンサ素子積層ユニット１８を積層し、さらに複数個のコンデンサ素子積層ユニット１８の各陽極部１７ａを陽極コム端子２２に一体に接続し、上記陽極コム端子２２と陰極コム端子２１の一部が夫々外表面に露呈する状態で上記複数個のコンデンサ素子積層ユニット１８を絶縁性の外装樹脂（図示せず）で被覆することにより固体電解コンデンサが構成されているものであった。
【０００５】
【発明が解決しようとする課題】
しかしながら上記従来の固体電解コンデンサの構成では、複数枚のコンデンサ素子１７を積層してコンデンサ素子積層ユニット１８を作製し、さらにこのコンデンサ素子積層ユニット１８を複数個積層して固体電解コンデンサを作製するという構成であるため、構成部品の種類が多いばかりでなく組み立て作業が複雑となり、結果的にコストが高い製品になるという課題を有していた。
【０００６】
また、コンデンサ素子積層ユニット１８を構成する複数枚のコンデンサ素子１７はその各積層面に導電性銀ペーストを塗布することによって夫々が電気的に接続され、さらにこのコンデンサ素子積層ユニット１８をその間に導電性銀ペーストを塗布することによって複数個が夫々積層されて電気的に接続され、最終的に最下段に設けられた陰極コム端子２１の一端が外部接続用の陰極端子となる構成であるために、陰極引き出し距離が長くなってＥＳＲ（等価直列抵抗）特性を理論値に近づけることが困難であるという課題も有したものであった。
【０００７】
すなわち、このＥＳＲ特性は図８の模式図に示すように、コンデンサ素子積層ユニット１８を構成する各コンデンサ素子１７の積層間に発生する抵抗Ｒ１と、各コンデンサ素子積層ユニット１８の積層間に発生する抵抗Ｒ２の総和となり、コンデンサ素子１７、コンデンサ素子積層ユニット１８の積層数が多ければ多いほどＥＳＲ特性が理論値から乖離していくという構成のものであった。
【０００８】
また、各コンデンサ素子１７間ならびに各コンデンサ素子積層ユニット１８間には必ず導電性銀ペーストが介在するために高さ方向の寸法が大きくなり、薄型化が困難であるという課題も併せ持つものであった。
【０００９】
本発明はこのような従来の課題を解決し、簡単な構成で組み立て作業を容易にして低価格化を図り、しかもＥＳＲ特性に優れて薄型化が可能な固体電解コンデンサを提供することを目的とするものである。
【００１０】
【課題を解決するための手段】
上記課題を解決するために本発明の請求項１に記載の発明は、弁作用金属からなる陽極体を陽極部と陰極部に分離し、この陰極部の表面に誘電体酸化皮膜層、固体電解質層、陰極層を順次積層形成したコンデンサ素子を厚み方向に複数枚積層したコンデンサ素子積層体と、このコンデンサ素子積層体の陽極部に接続された陽極コム端子と、コンデンサ素子の厚み方向となる側面でコンデンサ素子積層体の陰極部を一体に接続する接続部を曲げ起こしにより設けて同陰極部の積層間に配設された陰極コム端子と、上記陽極コム端子ならびに陰極コム端子の一部が夫々外表面に露呈した状態で上記コンデンサ素子積層体を被覆した絶縁性の外装樹脂からなる固体電解コンデンサにおいて、上記陰極コム端子に設けた接続部を、コンデンサ素子積層体の相対する側面の各々に二つずつ接するように形成し、これらの接続部のうち対角線上にあるもの同士の曲げ起こし方向を一致させると共に向かい側にあるもの同士の曲げ起こし方向を相反させるように構成したものであり、これにより簡単な構成で部品点数の削減と組み立て作業性の向上を図り、しかもコンデンサ素子の陰極部の側面から陰極を引き出すために陰極引き出し距離が短くなってＥＳＲ特性を大幅に改善することができ、さらに各積層間に導電性接着剤が介在しないために薄型化を図ることができるという作用効果を有する。
【００１１】
【発明の実施の形態】
（実施の形態１）
以下、実施の形態１を用いて、本発明の請求項１に記載の発明について説明する。
【００１２】
図１は本発明の実施の形態１による固体電解コンデンサの構成を示す断面図、図２は同陽極／陰極コム端子に複数のコンデンサ素子を配設した状態の斜視図であり、図１、図２において、１はコンデンサ素子であり、このコンデンサ素子１は弁作用金属であるアルミニウム箔からなる陽極体を陽極部１ａと陰極部１ｂに分離し、この陰極部１ｂの表面に誘電体酸化皮膜層、固体電解質層、陰極層（いずれも図示せず）を順次積層形成することにより構成されている。
【００１３】
２は上記コンデンサ素子１を複数枚積層したコンデンサ素子積層体、３は陽極コム端子、４は陰極コム端子、４ａはこの陰極コム端子４の平面部、４ｂはこの平面部４ａの両端の一部を曲げ起こすことにより形成された接続部であり、上記コンデンサ素子１の陽極部１ａを陽極コム端子３の表裏面に、陰極部１ｂを陰極コム端子４の表裏面に配設するようにして夫々複数枚ずつ積層し、各コンデンサ素子１の複数の陽極部１ａは夫々陽極コム端子３にレーザー溶接によって一体に接合し、同複数の陰極部１ｂはコンデンサ素子１の厚み方向となる側面で陰極コム端子４に設けられた接続部４ｂに導電性銀ペースト（図示せず）を介して一体に接続されているものである。
【００１４】
また、図２に示すように、接続部４ｂは、コンデンサ素子積層体２の相対する側面の各々に二つずつ接するように形成されている。そして、これらの接続部４ｂのうち対角線上にあるもの同士の曲げ起こし方向を一致させると共に向かい側にあるもの同士の曲げ起こし方向を相反させるように構成されている。
【００１５】
５はこのようにして構成されたコンデンサ素子積層体２の上記陽極コム端子３と陰極コム端子４の一部が夫々外表面に露呈する状態で上記コンデンサ素子積層体２を被覆した絶縁性の外装樹脂であり、これにより本実施の形態１の固体電解コンデンサが構成されているものである。
【００１６】
また、本実施の形態１の固体電解コンデンサを作製する製造方法としては、図２に示すように陽極コム端子３と陰極コム端子４が所定の間隔で連続して設けられたフープ材を用い、上記陽極コム端子３上にコンデンサ素子１の陽極部１ａを配設すると共に陰極コム端子４上にコンデンサ素子１の陰極部１ｂを配設し、この側面を導電性銀ペースト（図示せず）を介して接続部４ｂに接合するようにしてフープ材の上面側の所定位置にコンデンサ素子１を順次積層していき、その後、上記フープ材を反転して同様の作業をすることによりフープ材の表裏面に複数のコンデンサ素子１を積層したコンデンサ素子積層体２を組み立てるようにしたものである。
【００１７】
このように構成された本実施の形態１による固体電解コンデンサは、従来のように複数枚のコンデンサ素子を積層してコンデンサ素子積層ユニットを作製し、さらにこのコンデンサ素子積層ユニットを複数個積層して固体電解コンデンサを作製するという複雑な構成を必要としないため、簡単な構成で部品点数ならびに組み立て工程数の削減と組み立て作業性の向上を図り、結果的に低コストの製品を実現することができる。
【００１８】
また、コンデンサ素子積層体２を構成する複数枚のコンデンサ素子１の厚み方向となる陰極部１ｂの側面に導電性銀ペースト（図示せず）を塗布することによって夫々が電気的に接続されると共に、この陰極部１ｂの側面に接続された陰極コム端子４の接続部４ｂの一端が外部接続用の陰極端子となる構成であるために、陰極引き出し距離が最短となってＥＳＲ（等価直列抵抗）特性が理想のコンデンサに近い極めて優れたものになるという大きな効果が得られるものである。
【００１９】
すなわち、このＥＳＲ特性の改善効果は図３の模式図に示すように、各コンデンサ素子積層体２を構成する複数枚のコンデンサ素子１の厚み方向となる陰極部１ｂの側面に導電性銀ペーストを塗布することによって夫々が電気的に一体に接続されるために各コンデンサ素子１の積層間には抵抗が発生せず、さらにこのコンデンサ素子積層体２の各陰極部１ｂの側面に導電性銀ペーストを塗布することによって夫々を電気的に一体に接続して複数個のコンデンサ素子積層体２を接続するために各コンデンサ素子積層体２の接続間にも抵抗が発生しないようになるものである。
【００２０】
本実施の形態１による固体電解コンデンサのＥＳＲ特性を測定した結果を従来品と比較して（表１）に、また従来品の固体電解コンデンサの陰極部の側面に導電性銀ペーストを塗布した固体電解コンデンサのＥＳＲ特性を測定した結果を従来品と比較して（表２）に示す。
【００２１】
【表１】
0004595262.tif 000002
【００２２】
【表２】
0004595262.tif 000003
【００２３】
また、各コンデンサ素子１間には従来の固体電解コンデンサでは必要であった導電性銀ペーストが不要になることから高さ方向の寸法が小さくなり、薄型化が可能になるという効果も得られるものである。
【００２４】
（実施の形態２）
以下、実施の形態２を用いて、本発明の請求項１に記載の発明について説明する。
【００２５】
本実施の形態２は上記実施の形態１における陽極コム端子ならびに陰極コム端子の形状が異なるようにしたものであり、これ以外の構成は実施の形態１と同様であるために同一部分には同一の符号を付与してその説明は省略し、異なる部分についてのみ以下に図面を用いて説明する。
【００２６】
図４は本発明の実施の形態２による固体電解コンデンサの構成を示す断面図、図５は同陽極／陰極コム端子に複数のコンデンサ素子を配設した状態の斜視図であり、図４、図５において、６は陽極コム端子、７は陰極コム端子、７ａはこの陰極コム端子７の平面部、７ｂはこの平面部７ａの両端の一部を曲げ起こすことにより形成された接続部である。このように構成された陽極コム端子６の一方の面にコンデンサ素子１の陽極部１ａを、陰極コム端子７の表裏面に陰極部１ｂを配設するようにして夫々複数枚ずつ積層し、各コンデンサ素子１の複数の陽極部１ａは夫々陽極コム端子６にレーザー溶接によって一体に接合し、同複数の陰極部１ｂはコンデンサ素子１の厚み方向となる側面で陰極コム端子７に設けられた接続部７ｂに導電性銀ペースト（図示せず）を介して一体に接続されているものである。
【００２７】
また、図５に示すように、接続部７ｂは、コンデンサ素子積層体２の相対する側面の各々に二つずつ接するように形成されている。そして、これらの接続部７ｂのうち対角線上にあるもの同士の曲げ起こし方向を一致させると共に向かい側にあるもの同士の曲げ起こし方向を相反させるように構成されている。
【００２８】
このように構成された本実施の形態２による固体電解コンデンサは、上記実施の形態１と同様の効果が得られるものである。
【００２９】
【発明の効果】
以上のように本発明による固体電解コンデンサは、弁作用金属からなる陽極体を陽極部と陰極部に分離し、この陰極部の表面に誘電体酸化皮膜層、固体電解質層、陰極層を順次積層形成したコンデンサ素子を厚み方向に複数枚積層したコンデンサ素子積層体と、このコンデンサ素子積層体の陽極部に接続された陽極コム端子と、コンデンサ素子の厚み方向となる側面でコンデンサ素子積層体の陰極部を一体に接続する接続部を曲げ起こしにより設けて同陰極部の積層間に配設された陰極コム端子と、上記陽極コム端子ならびに陰極コム端子の一部が夫々外表面に露呈した状態で上記コンデンサ素子積層体を被覆した絶縁性の外装樹脂からなる固体電解コンデンサにおいて、上記陰極コム端子に設けた接続部をコンデンサ素子積層体の相対する側面の各々に二つずつ接するように形成し、これらの接続部のうち対角線上にあるもの同士の曲げ起こし方向を一致させると共に向かい側にあるもの同士の曲げ起こし方向を相反させるように構成したことにより、簡単な構成で部品点数の削減と組み立て作業性の向上を図り、しかもコンデンサ素子の陰極部の側面から陰極を引き出すために陰極引き出し距離が短くなってＥＳＲ特性を大幅に改善することができ、さらに各積層間に導電性接着剤が介在しないために薄型化を図ることができるという格別の作用効果を奏するものである。
【図面の簡単な説明】
【図１】  本発明の実施の形態１による固体電解コンデンサの構成を示す断面図
【図２】  同陽極／陰極コム端子に複数のコンデンサ素子を配設した状態の斜視図
【図３】  同ＥＳＲ特性の改善を解説するための模式図
【図４】  本発明の実施の形態２による固体電解コンデンサの構成を示す断面図
【図５】  同陽極／陰極コム端子の複数のコンデンサ素子を配設した状態の斜視図
【図６】  従来の固体電解コンデンサの構成を示す斜視図
【図７】  同コンデンサ素子積層ユニットの構成を示す斜視図
【図８】  同ＥＳＲ特性を解説するための模式図
【符号の説明】
１  コンデンサ素子
１ａ  陽極部
１ｂ  陰極部
２  コンデンサ素子積層体
３，６  陽極コム端子
４，７  陰極コム端子
４ａ  平面部
４ｂ，７ｂ  接続部
５  外装樹脂
【図１】
0004595262.tif 000004
【図２】
0004595262.tif 000005
【図３】
0004595262.tif 000006
【図４】
0004595262.tif 000007
【図５】
0004595262.tif 000008
【図６】
0004595262.tif 000009
【図７】
0004595262.tif 000010
【図８】
0004595262.tif 000011